(57)【要約】  フライヤー（１００）の消火システムが提供される。フライヤーの消火システムは、消火剤の貯蔵庫と、貯蔵庫に接続された配管と、配管に接続され、（蓋が閉鎖／ロック解除位置にあるときのような）蓋が完全に開いた位置にないとき消火剤をフライ用バットへ送るように構成された１本以上のノズル（２１０、２２０）とを含むことができる。例えば、蓋が閉じているとき、上部空間がフライ用バットと蓋の内部との間に作られる場合がある。蓋が（開口部（２４０）をフライ用バットの通気のための上部空間の中に作る）閉鎖・ロック解除位置にあるときに、消火剤が開口部（２４０）を介してフライ用バットの上部空間に送られるように、ノズル（２２０）が蓋とフライ用バットの両方の外部に構成される場合がある。
2010514475.tif 000002
【特許請求の範囲】
【請求項１】
フライ用バットおよび少なくとも１個の蓋を有し、前記蓋が該蓋の下方側と前記フライ用バットとの間に上部空間を作るように前記フライ用バットを閉じるのに適し、前記蓋がフライヤーを通気させるように閉じるときに前記上部空間が開口部を有している、フライヤーの消火システムであって、
消火剤の貯蔵庫と、
前記貯蔵庫に接続された配管と、
前記配管に接続され、前記蓋および前記フライ用バットの外部に構成され、前記フライヤーの前記蓋が閉じているときに火を弱めるために、前記開口部を介して前記消火剤を前記フライ用バットの前記上部空間に送るのに適している、少なくとも１本のノズルと、
を備える消火システム。
【請求項２】
前記少なくとも１本のノズルが上方向に向けられている、請求項１に記載の消火システム。
【請求項３】
前記少なくとも１本のノズルのスプレーパターンが扇形状である、請求項２に記載の消火システム。
【請求項４】
前記フライヤーが圧力フライヤーを含む、請求項１に記載の消火システム。
【請求項５】
前記少なくとも１本のノズルは、前記蓋が閉じているときに前記蓋の少なくとも一部よりも下方に位置付けられる、請求項１に記載の消火システム。
【請求項６】
前記開口部が前記バットの背後部にあり、
前記少なくとも１本のノズルは、消火剤を９０°未満の角度で上方に送る、
請求項１に記載の消火システム。
【請求項７】
フライ用バットおよび少なくとも１個の蓋を有するフライヤーの消火システムであって、
消火剤の貯蔵庫と、
前記貯蔵庫に接続された配管と、
前記配管に接続され、前記フライヤーの前記蓋が完全に開いた位置にあるときに火を弱めるために、前記消火剤を前記フライ用バットに送るように構成されている第１のノズルと、
前記配管に接続され、前記フライヤーが少なくとも部分的に閉じた位置にあるときに火を弱めるために、前記消火剤を前記フライ用バットに送るように前記蓋および前記フライ用バットの外部に構成されている第２のノズルと、
を備える消火システム。
【請求項８】
前記蓋は、前記蓋が前記フライヤーを通気させるように閉じているときに、開口部を有する上部空間を前記蓋の下方側と前記フライ用バットとの間に作るように前記フライ用バットを閉じるのに適し、
前記第２のノズルが前記開口部を介して前記消火剤を前記上部空間に送るのに適している、請求項７に記載の消火システム。
【請求項９】
前記第２のノズルは、前記フライヤーの前記蓋が完全に閉じ、かつ、前記フライヤーバットが前記開口部を形成して通気されるときに、火を弱めるために前記消火剤を送るように構成されている、請求項８に記載の消火システム。
【請求項１０】
前記第１のノズルおよび前記第２のノズルが逆方向に向けられている、請求項７に記載の消火システム。
【請求項１１】
前記第１のノズルが下方向に向けられ、
前記第２のノズルが上方向に向けられている、請求項１０に記載の消火システム。
【請求項１２】
前記第１のノズルのスプレーパターンが前記第２のノズルのスプレーパターンと異なる、請求項１１に記載の消火システム。
【請求項１３】
前記第１のノズルのスプレーパターンが円錐形状であり、
前記第２のノズルのスプレーパターンが扇形状である、請求項１２に記載の消火システム。
【請求項１４】
前記第１のノズルが前記フライヤーの上方側の部分に位置付けられ、前記第２のノズルが前記フライヤーの下方側の部分に位置付けられている、請求項７に記載の消火システム。
【請求項１５】
前記第１のノズルおよび前記第２のノズルが接続されているブロックをさらに備える、請求項７に記載の消火システム。
【請求項１６】
前記ブロックに接続され、前記消火剤を前記ブロックに入れる管材料をさらに備える、請求項１４に記載の消火システム。
【発明の詳細な説明】
【関連出願の相互参照】
【０００１】
本出願は、２００６年１２月２２日に出願され、参照によってその全体が本明細書に組み込まれている米国仮特許出願第６０／８７６，６９０号の優先権を主張する。
【背景技術】
【０００２】
圧力フライヤーは、食用油を使ってバット内で（肉のような）食品を調理するために使用される。圧力フライヤー内の食品および食用油は、圧力が内部の水分が煮沸することを防止するのに十分に高く保たれている間に高温にされる。この技術は食物を非常に高温でみずみずしい状態のままにすることが可能である。圧力フライヤーは、典型的に、工業用キッチンで使用され、消火システムを含むことが可能である。特に、圧力フライヤーの蓋が開いているとき、ノズルが消火剤をバットの中心に送るために位置付けられている。この構造は圧力フライヤー内での火災の可能性を低減するが、より優れた構造が望ましい。
【発明の概要】
【０００３】
本実施形態は、圧力フライヤーのような電化製品の消火システムに関する。フライヤーは、（食品および食用油が中に置かれる）フライ用バットと、フライ用バットを覆う蓋とを有する場合がある。フライヤーの蓋は、完全に開いた位置と、（蓋が閉じ、フライ用バットが開口部を介して通気されている）閉鎖／ロック解除位置と、（フライ用バットが調理のため密閉されている）閉鎖／ロック位置との３個の位置を有することができる。フライヤーの消火システムは、消火剤の貯蔵庫と、貯蔵庫に接続された配管と、配管に接続され、（蓋が閉鎖／ロック解除位置にあるときのような）蓋が完全に開いた位置にないとき消火剤をフライ用バットの中へ送るように構成された１本以上のノズルとを含む。
【０００４】
例えば、蓋が閉じているとき、上部空間がフライ用バットと蓋の内部との間に作られる場合がある。本発明の一態様では、蓋が（開口部をフライ用バットの通気のために上部空間の中に作る）閉鎖・ロック解除位置にあるときに消火剤が開口部を介してフライ用バットの上部空間に送られるように、ノズルが蓋とフライ用バットの両方の外部に構成される場合がある。ノズルは（扇形パターンのような）フラットスプレーでもよく、したがってより多くの消火剤がスロット形状の開口部に挿入される場合がある。別の実施例として、ノズルは、蓋が閉鎖／ロック解除位置にあるときに消火剤をフライ用バットの中への別の開口部に挿入するように構成される場合がある。特に、フライ用バットは、オーバーフロードレンへ流れるオーバーフロードレン管への開口部を含む場合がある。ノズルは、消火剤がオーバーフロードレン管への開口部を介してフライヤーバットの上部空間に挿入されるように、構成される場合がある。
【０００５】
さらに、消火システムは、配管に接続され、蓋が完全に開いた位置にあるときに消火剤をフライ用バットの中に送るように構成された１本以上のノズルを含む場合がある。蓋が完全に開いた位置にあるときに消火剤をバットの中に送るように構成された１本以上のノズルは、（１）（ｘ−、ｙ−、および／または、ｚ−方向のおける位置のような）位置と、（２）（扇形状対円錐形状のような）ノズルのタイプと、（３）（上向きまたは下向きの照準のような）ノズルの照準とを含む幾つかの観点で、蓋が完全に開いた位置にないときに消火剤をフライ用バットの中に送るように構成された１本以上のノズルと異なる場合がある。このようにして、蓋が完全に開いた位置にないときに消火剤をフライ用バットの中に送るように構成された１本以上のノズルは、単独で、または、蓋が完全に開いた位置にあるときに消火剤をバットの中に送るように構成された１本以上のノズルと組み合わされて機能する。このようにして、消火システムは圧力フライヤー内の火により優れた効果がある。
【０００６】
その他のシステム、方法、特徴および利点は、以下の図面および詳細な説明の検討によって当業者に明白であるか、または、明白になる。そのようなすべての付加的なシステム、方法、特徴および利点は、この説明に含まれ、本発明の範囲内にあり、添付の特許請求の範囲によって保護されることが意図されている。
【図面の簡単な説明】
【０００７】
【図１】図１は、消火システムの実施例を備えるモノレール中心蓋持ち上げ式圧力フライヤーの正面図である。
【図２】図２は、図１に描かれたモノレール中心蓋持ち上げ式圧力フライヤーの側面図である。
【図３】図３は、図１に描かれたモノレール中心蓋持ち上げ式圧力フライヤーの平面図である。
【図４】図４ａは、図１に描かれたティーブロックの平面図であり、図４ｂは、図１に描かれたティーブロックの端面図である。
【図５】図５は、消火システムの実施例を備えるデュアル蓋持ち上げ式圧力フライヤーの正面図である。
【図６】図６は、図５に描かれたデュアル蓋持ち上げ式圧力フライヤーの側面図である。
【図７】図７は、図５に描かれたデュアル蓋持ち上げ式圧力フライヤーの平面図である。
【発明を実施するための形態】
【０００８】
概要として、後述される好ましい実施形態は、フライヤーのようなキッチン電化製品の消火システムに関する。消火システムは、圧力フライヤーを含む種々のフライヤーで使用される場合がある。モノレール中心蓋持ち上げ式フライヤーシステム（図１〜３に示されている）とデュアル蓋持ち上げ式フライヤーシステム（図５〜７に示されている）を含む２つの圧力フライヤーの実施例が図示されている。フライヤー消火システムと組み合わせて使用される場合があるフライヤーシステムの特定の実施例は、Ｈｅｎｎｙ  Ｐｅｎｎｙ  Ｍｏｄｅｌ  ６９０、６９１、６９２（モノレール中心蓋持ち上げ式フライヤーシステム）とＨｅｎｎｙ  Ｐｅｎｎｙ  Ｍｏｄｅｌ  ５８０、５８１、８５２、５９０、５９１、５９２、６８０、６８１、６８２（デュアル蓋持ち上げ式フライヤーシステム）を含む。列挙されたモデルは図示する目的のためだけである。その他の製造業者からのフライヤーおよびその他の構造が同様に使用されてもよい。
【０００９】
より詳細に後述されるように、消火システムは、蓋が（完全に開いた蓋位置のような）完全に開いた位置、および／または、閉じた位置にある状態で火災を予防することができる。例えば、フライヤーシステムの蓋は、（１）完全に開いた位置と、（２）完全閉鎖・ロック状態と、（３）閉鎖・通気状態とを含む３個の位置のうちの１つにある場合がある。完全に開いた位置は、フライヤーのローディングラックおよびバスケットが完全に開いた位置にあるときである場合がある。（完全に開いた位置と完全閉鎖・ロック位置との間の）中間位置の一実施例は、蓋が完全に閉じ、フライヤーのハンドルがロック解除されるときであり得、開口部またはスロットを作り、それによって、フライヤーバットの上部空間から蒸気圧を解放する。この位置では、安全ラッチは依然として掛かったままである場合がある。上述のように、フライヤーの一部分はフライ用バットの通気のために開いている場合がある。例えば、フライヤーの背後部分が、フライヤーのバットを通気させるため、１／４インチのスロット開口部のように開いていてもよい。
【００１０】
典型的に、消火システムは、フライヤーの蓋が完全に開いた位置にあるときに限り消火するように構成されている。しかし、フライヤーは、フライヤーの蓋が完全に開いた位置にないとき火災の危険に晒される場合がある。例えば、フライヤーの蓋が部分的に開いているか、または、フライヤーのバットを通気させるように構成されているとき、フライヤーは（例えば、バット内の油が開口部から溢れ出るか、または、空気がバットに入るようなことが原因で）依然として火災の危険に晒される場合がある。
【００１１】
図１〜図７に描かれた消火システムは、フライヤーが完全に開いた位置にあるとき、および／または、完全に開いた位置にないとき、火災の危険を軽減するために使用される場合がある。図１は、蓋１１０が開いた位置にあり、モノレールが要素１３０によって示されている、モノレール中心蓋持ち上げ式フライヤーシステムの正面図を示している。フライヤーとフライヤー消火システムとの組み合わせは要素１００として描かれている。図２は、蓋が完全に開いた位置および通気位置において示された（通気位置では、蓋は破線で示されている）、図１に描かれたフライヤーシステムの側面図を示している。図３は、図１に描かれたフライヤーシステムの平面図を描いている。
【００１２】
図１は、フライヤーに取り付けられる場合がある「ティーブロック」１２０を描いている。例えば、ティーブロック１２０は、フライヤーの背後部のようにフライヤーに取り付けられてもよい。ティーブロック１２０は図４ａ〜図４ｂに描かれている。ノズルは、ノズルと、ノズルスイベルアダプタと、ノズルキャップと、留め具付きのティーブロックと、クローズニップルと、種々のステンレス管長と、エルボ部とを備え得るノズル組立体キットを使用してフライヤーに装着される場合がある。ノズルは、消火剤をフライヤーの様々な部分に送るためにティーブロックの種々の場所に構成される場合がある。消火剤は、火の影響を抑制または軽減するため使用され得るどのような物質でもよい。
【００１３】
図２および図３は、消火システムで使用される２本のノズル２１０、２２０を示している。図２および図３に描かれた２本のノズル２１０、２２０は、図示の目的のためであり、以下に詳述されるようにより少ないまたは多い本数のノズルが使用されてもよい。システムの少なくとも２本のノズルは、（ｘ−、ｙ−、および／または、ｚ−方向での位置のような）位置と、ノズルのタイプと、（上向きまたは下向きの照準のような）ノズルの照準とを含む幾つかの点で互いに異なる場合がある。図２に示されているように、２本のノズル２１０、２２０は異なる位置にあり（ｚ−方向で異なり）、ノズルからの剤の照準が反対（上向き対下向き）である。特に、ティーブロックからの品番４３４４２４の１Ｎノズル２１０は、ノズル先端がフライヤー表面のベースから１６インチ（４０．６ｃｍ）上方、かつ、電化製品の背後シュラウドの右側から５インチ（１２．７ｃｍ）に位置するように構成される場合がある。１Ｎノズル２１０は、フライ用バットの中心点で放出するため下向きに（（図２に示された）約４５°下向き、かつ（図３に示された）４５°内向きのような一方側に）狙いを定められる場合がある。別の実施例では、ティーブロックからフライヤーのベースへ下向きに延びる１Ｆノズル２２０は、フライ用バットの裏面から２インチ（５．１ｃｍ）、かつ電化製品の背後シュラウドの右側から８インチ（２０．３ｃｍ）に位置しているノズル先端を有する場合がある。１Ｆノズル２２０は、図２に示されているように、下向きに狙いを定められる場合がある。このようにして、フライヤーバット１４０が背後部の開口部２４０を介して通気しているときのようにフライヤーの蓋１１０が部分的に閉じているとき、消火剤は閉じていない背後部の開口部２４０を介して、かつ蓋１１０のカバーの下に送られる場合がある。このように、消火剤はフライヤーバット１４０の上部空間に挿入される場合がある。開口部２４０は図２では背後部に示されているが、開口部２４０はバットの１つ以上の側面に沿う場合がある。
【００１４】
さらに、第１のノズル２１０および第２のノズル２２０は異なるタイプでもよい。例えば、第1のノズル２１０は、（円錐形状のような）狭小パターンノズル、例えば、品番４１９３３５の１Ｎでもよい。第２のノズル２２０は、（扇形パターンのような）フラットスプレー、例えば、品番４１９３３３の１Ｆでもよい。上述のように、１Ｆノズル２２０はフラットスプレーノズルでもよく、スプレーはフライ用バットの背後リップ部の端に水平でもよい。
【００１５】
各フライヤーは、最低３．０ガロンのＡＮＳＵＬＥＸ（登録商標）Ｌｏｗ  ｐＨ消火剤を有する（図示されない）貯蔵庫を含む場合がある。配管は、２本の単方向フローノズル（１Ｎおよび１Ｆ）を介して放出する貯蔵庫を接続するため使用される場合がある。配管の実施例は要素２３０に示されている。２本のノズル２１０、２２０は、例えば、消火剤を同時に放出するように、同時に作動される場合がある。
【００１６】
図４ａおよび図４ｂは、ティーブロック１２０の一部分の平面図および端面図を（それぞれ）描いている。ティーブロックは、図４ａに示されるように、ネジを使用するホール４１０を介してフライヤーに装着される場合がある。付加的なホールが（消火剤を管材料を介してティーブロック１２０に入れる入口のため、および、ノズルの出口のため使用される場合がある。配管は、図４ａおよび図４ｂに破線によって示されているように、ティーブロック１２０に含まれる場合もある。例えば、図４ｂは、３／８インチ  米国パイプネジ規格（ＮＰＴ）管材料への接続を示している。
【００１７】
図５は、蓋が開いた位置にあるデュアル蓋持ち上げ式フライヤーシステムの正面図を示している。フライヤーとフライヤー消火システムとの組み合わせは、ティーブロック５１０およびフライヤーバット５２０付きの要素５００として描かれている。図６は、蓋が完全に開いた位置および通気位置で示されている、図５に描かれたフライヤーシステムの側面図を示している。図７は図５に描かれたフライヤーシステムの平面図を描いている。
【００１８】
ノズル２１０と同様に、図６および図７における第１のノズル６１０は、上方側の位置に位置付けられた（円錐形状のような）狭小パターンノズル、例えば、部品番号４１９３３５の１Ｎでもよい。ノズル２２０と同様に、第２のノズル６２０は、下方側の位置に位置付けられた（扇形パターンのような）フラットスプレー、例えば、品番４１９３３３の１Ｆでもよい。図６に描かれているように、ノズル６１０、６２０は異なる場所でフライヤーに位置付けられる場合がある。
【００１９】
例えば、ティーブロック５１０からの上方側の位置における１Ｎノズル６１０、品番４３４４２４は、ノズル先端がフライヤー表面のベースから１６インチ（４０．６ｃｍ）上方、かつ、電化製品の背後シュラウドの（図３に示されているような右側と対照的に）左側から５インチ（１２．７ｃｍ）に位置するように構成される場合がある。１Ｎノズル６１０は、フライ用バットの中心点で放出するため下向きに狙いを定められる場合がある。別の実施例として、ティーブロック５１０から配管６３０を介してフライヤーのベースへ下向きに延びる、下方側の位置にある１Ｆノズル６２０は、フライ用バットの裏面から２インチ（５．１ｃｍ）、かつ、電化製品の背後シュラウドの（図３に示されているように右側と対照的に）左側から８インチ（２０．３ｃｍ）に位置しているノズル先端を有する場合がある。上述のように、１Ｆノズル６２０はフラットスプレーノズルでもよく、スプレーはフライ用バットの背後リップ部の端に水平でもよい。１Ｆノズル６２０は、図６に示されているように、上向きに狙いを定められる場合がある。
【００２０】
本発明は、本発明の好ましい実施形態を参照して特に示され、記載されているが、形式および詳細の様々な変更が添付の特許請求の範囲により包含された本発明の範囲から逸脱することなく本発明の中でなされてもよいことが当業者によって理解される。
【図１】
2010514475.tif 000003
【図２】
2010514475.tif 000004
【図３】
2010514475.tif 000005
【図４Ａ】
2010514475.tif 000006
【図４Ｂ】
2010514475.tif 000007
【図５】
2010514475.tif 000008
【図６】
2010514475.tif 000009
【図７】
2010514475.tif 000010
【国際調査報告】
2010514475.tif 000011
2010514475.tif 000012